(57)【要約】【課題】  ＩＣカードに記憶されている金額情報等がＩＣカード用紙幣積増機によって不正に改ざんされないようにするとともに、防盗対策を適用したＩＣカード用紙幣積増機自体における一時的なサービス停止を解除するようにして、顧客の利用機会を減らさないようにした。【解決手段】  ＩＣカード用紙幣積増機１は、電源投入時にサーバ１４と通信を行い、認証を得られた場合にのみ積み増し機能を起動する。これにより、ＩＣカード用紙幣積増機１は、電源投入後にサーバ１４からの認証が得られるまでは起動されず、ＩＣカード用紙幣積増機１での一般カードの受け付けが拒否される。しかし、ネットワークが不通であっても、特別の稼動カードからの受付信号を認識した場合には、サーバ１４の認証が得られない状態であっても一時的に起動して、一般カードを受け付けるようにした。【選択図】  図１
2005215755.tif 000002
【特許請求の範囲】
【請求項１】
利用可能な金額情報が記憶されているＩＣカードに対し、入金紙幣の金額に応じて前記利用可能な金額情報の積み増し処理を行うＩＣカード用紙幣積増機において、
投入紙幣を識別して収納する紙幣鑑別手段と、
前記ＩＣカードとの間で情報の授受を行って前記金額情報を書き込む書込手段と、
前記書込手段に対して所定の認証動作により前記ＩＣカードへの書き込み動作を許可する許可手段と、
を備えたことを特徴とするＩＣカード用紙幣積増機。
【請求項２】
前記書込手段から前記ＩＣカードへ前記金額情報を書き込むにあたって、前記紙幣鑑別手段により紙幣の入金が確認されたとき前記ＩＣカードの利用可能な金額情報を積増するようにしたことを特徴とする請求項１記載のＩＣカード用紙幣積増機。
【請求項３】
前記許可手段は、電源投入後にサーバとの通信による認証動作を行い、前記サーバからの認証が得られた場合にのみ前記ＩＣカードへの書き込み動作を許可するようにしたことを特徴とする請求項１記載のＩＣカード用紙幣積増機。
【請求項４】
前記サーバとの通信を、あらかじめ指定した時間間隔で実行することを特徴とする請求項３記載のＩＣカード用紙幣積増機。
【請求項５】
前記許可手段は、前記書込手段を稼動するための受付信号を有する特定のＩＣカード（以下、稼動カードという。）との間で認証動作を行い、前記稼動カードからの認証が得られた場合にのみ顧客の前記利用可能な金額情報が記憶されている一般のＩＣカード（以下、一般カードという。）への書き込み動作を許可するようにしたことを特徴とする請求項１記載のＩＣカード用紙幣積増機。
【請求項６】
前記稼動カードの受付信号は、識別用のＩＤ情報と起動用のコマンド情報とを含むことを特徴とする請求項５記載のＩＣカード用紙幣積増機。
【請求項７】
前記受付信号を受信するアンテナを有することを特徴とする請求項５記載のＩＣカード用紙幣積増機。
【請求項８】
前記許可手段は、前記稼動カードにより前記一般カードへの書き込み動作を許可した場合に計時動作を開始する一時稼動タイマを備え、
前記一時稼動タイマのタイムアップ時にサーバとの通信による認証動作を行い、前記サーバからの認証が得られた場合にのみ、前記一時稼動タイマのタイムアップ後も前記一般カードへの書き込み動作を許可することを特徴とする請求項５記載のＩＣカード用紙幣積増機。
【請求項９】
前記稼動カードは、起動用のコマンド情報として所定の初期値を有する稼動パラメータが記憶されており、
前記許可手段では、前記稼動パラメータが所定数より大きい値である場合にのみ前記一般カードへの書き込み動作を許可するとともに、前記稼動カードとの間で認証動作を行う毎に前記稼動パラメータから単位数を減算し、前記稼動カードからの認証が得られた後には、前記稼動パラメータに単位数を加算する加算動作を一回だけ行うことを特徴とする請求項８記載のＩＣカード用紙幣積増機。
【発明の詳細な説明】
【技術分野】
【０００１】
本発明はＩＣカード用紙幣積増機に関し、特に利用可能な金額情報が記憶されているＩＣカードに対し、入金紙幣の金額に応じて前記利用可能な金額情報の積み増し処理を行うＩＣカード用紙幣積増機に関する。
【背景技術】
【０００２】
鉄道などの交通機関やレジャー施設などで、硬貨や紙幣などの現金を授受する煩雑さを解消するために、利用者が料金を前払いするシステムが採用されており、その種のシステムでは利用可能な金額を記憶した非接触式のＩＣカードが用いられている。ＩＣカード用紙幣積増機は、ＩＣカードの利用可能な金額が不足した場合に、そのＩＣカードに対して、紙幣の入金等により追加して料金を支払うことによって、利用可能な金額を積み増しするための装置である。このようなＩＣカード用紙幣積増機を用いることによって、１枚のＩＣカードに利用可能な金額情報の積み増し処理を行えば、同じＩＣカードを繰り返し使用することができるという利点がある。
【０００３】
一般に、ＩＣカード用紙幣積増機には、入金された紙幣を装置内部に取り込んで収納庫に収納する入金機が備えられている。そして、入金された紙幣を収納するＩＣカード用紙幣積増機は、その入金金額に応じて、ＩＣカードのリーダ・ライタ部から利用可能な金額情報を書き換えるように構成されている。
【０００４】
このような従来のＩＣカード用紙幣積増機は、電源が投入されることによってリーダ・ライタ部が起動されてＩＣカード待機状態となり、セットされたＩＣカードに対する金額情報の読み出しと書き込み、紙幣の入金、およびセットされたＩＣカードへの積み増し操作などを行うことができる。
【０００５】
しかしながら、従来のＩＣカード用紙幣積増機では、電源の投入だけでいつでも使用可能な状態となるために、その分、ＩＣカード用紙幣積増機に対する不正操作や不正行為がなされるおそれがあった。例えば紙幣等の入金とは関係なしにＩＣカードに記憶されている利用可能な金額情報を書き換えるなどの不正操作や不正行為によって、交通機関やレジャー施設などが不正に利用されるという問題点があった。
【０００６】
そこで、ＩＣカードに記憶されている情報の不正な改ざんを防止する目的で、電源投入時に特定のＩＣカード（起動用カード）を挿入しないと積み増し機能が働かないようにしたＩＣカード用紙幣積増機が提案されている（特許文献１参照）。
【特許文献１】特開２００３−５１０５２号公報（段落番号〔００１３〕〜〔００１９〕，図１）
【発明の開示】
【発明が解決しようとする課題】
【０００７】
上述した特許文献１において提案されているようなＩＣカード用紙幣積増機では、受付信号を有する起動用カードが挿入され、その受付信号が受信されることによって、ＩＣカード用紙幣積増機を起動できる。ところが、ＩＣカード用紙幣積増機が起動用カードとともに盗難された場合には、ＩＣカードに記憶されている情報が改ざんされる可能性があり、ＩＣカード用紙幣積増機のセキュリティに対する信頼性が低下することになる。
【０００８】
本発明はこのような点に鑑みてなされたものであり、ＩＣカードに記憶されている金額情報等がＩＣカード用紙幣積増機によって不正に改ざんされないようにするとともに、防盗対策を適用したＩＣカード用紙幣積増機自体における一時的なサービス停止を解除するようにして、顧客の利用機会を減らさないようにしたＩＣカード用紙幣積増機を提供することを目的とする。
【課題を解決するための手段】
【０００９】
本発明では上記課題を解決するために、利用可能な金額情報が記憶されているＩＣカードに対し、入金紙幣の金額に応じて前記利用可能な金額情報の積み増し処理を行うＩＣカード用紙幣積増機が提供される。
【００１０】
このＩＣカード用紙幣積増機は、投入紙幣を識別して収納する紙幣鑑別手段と、前記ＩＣカードとの間で情報の授受を行って前記金額情報を書き込む書込手段と、前記書込手段に対して所定の認証動作により前記ＩＣカードへの書き込み動作を許可する許可手段と、を備えたことを特徴とする。
【発明の効果】
【００１１】
本発明のＩＣカード用紙幣積増機およびＩＣカード用紙幣積増方法では、電源投入後にサーバとの通信による認証動作を行い、サーバからの認証が得られた場合、あるいは書込手段を稼動するための受付信号を有する特定のＩＣカード（稼動カード）との間で認証動作を行い、稼動カードからの認証が得られた場合に、ＩＣカード用紙幣積増機が起動される構成にした。これにより、ＩＣカード用紙幣積増機は、電源を投入しても、それだけでは顧客の利用可能な金額情報が記憶されている一般のＩＣカード（一般カード）への書き込み動作が許可されず、一般カードがＩＣカード用紙幣積増機に受け付けられないようになっているので、ＩＣカード用紙幣積増機に対する不正操作や不正行為によりＩＣカードに記憶されている情報が改ざんされる機会を減少させることができる。
【００１２】
また、ＩＣカード用紙幣積増機自体が盗難された場合であっても、稼動カードによらなければＩＣカード用紙幣積増機を起動させることができないので、ＩＣカード用紙幣積増機のセキュリティに対する信頼性を向上することができる。
【００１３】
さらに、万一、ＩＣカード用紙幣積増機自体と稼動カードの両方ともが盗難された場合であっても、ＩＣカード用紙幣積増機を起動できるのは、稼動カード中の稼動パラメータに設定された回数分のみであり、それ以上はサーバとの接続によって認証が得られない限り動作することはないので、ＩＣカード用紙幣積増機のセキュリティに対する信頼性を向上することができる。
【発明を実施するための最良の形態】
【００１４】
以下、本発明の実施の形態を、図面を参照して説明する。
（実施の形態１）
図１は、本発明の実施の形態１に係るＩＣカード用紙幣積増機の構成を示すブロック図である。
【００１５】
非接触ＩＣカード用の紙幣積増機１（以下、ＩＣカード用紙幣積増機１という。）は、一般のＩＣカード（一般カード）をセットして非接触で情報の授受が行えるようになっている。この一般カードには、顧客が利用できる金額（利用可能金額）を記憶するためのＩＣチップが埋め込まれている。また、ＩＣカード用紙幣積増機１は、一般カードをセットするためのＩＣカード置き台２、紙幣が挿入される紙幣入金口３、および入金された紙幣についての領収書を発行する領収書発行口４を有している。
【００１６】
このＩＣカード用紙幣積増機１は、メモリ５ａを備えた制御部５を有し、一般カードがＩＣカード置き台２にセットされ、紙幣入金口３から紙幣による入金がなされた後に、制御部５で金額情報の積み増し処理を制御する。この制御部５はメモリ５ａのほかに、いずれも図示しないＣＰＵ（Ｃｅｎｔｒａｌ  Ｐｒｏｃｅｓｓｉｎｇ  Ｕｎｉｔ）、基本プログラムを格納しているＲＯＭ（Ｒｅａｄ  Ｏｎｌｙ  Ｍｅｍｏｒｙ）、ＣＰＵにより実行されるプログラムや演算途中のデータ、演算結果などを一時的に格納するＳＲＡＭ（Ｓｔａｔｉｃ  Ｒａｎｄｏｍ  Ａｃｃｅｓｓ  Ｍｅｍｏｒｙ）、プログラムのダウンロードおよびデータ収集を行うＳＲＡＭカード、および生成された情報をＩＣカード用紙幣積増機１の各部に伝達し、それらを制御するコントローラなどを有している。
【００１７】
また、ＩＣカード用紙幣積増機１には制御部５によって制御される操作表示部６が設けられている。この操作表示部６は、積み増し額を指定する積増額ボタン６ａ、積み増し操作を取り消すため取消ボタン６ｂ、領収書を印字して発行を指示する領収書ボタン６ｃ、および紙幣の残高、ＩＣカード用紙幣積増機１の操作案内や異常時の表示など、必要に応じて各種メッセージを表示するＬＣＤ（液晶表示器；Ｌｉｑｕｉｄ  Ｃｒｙｓｔａｌ  Ｄｉｓｐｌａｙ）６ｄなどを備え、積み増しを行う顧客とのインタフェースを構成している。
【００１８】
さらに、ＩＣカード用紙幣積増機１には、ＩＣカード置き台２にセットされた一般カードについて、その情報の読み出しと書き込みを行うリーダ・ライタ部７、入金紙幣の真贋と金種を鑑別する紙幣鑑別部８、および紙幣鑑別部８で鑑別された紙幣を収納する紙幣収納庫９が設けられている。紙幣収納庫９は、金種に応じた複数の金庫からなり、その内の最小額金種の金庫に収納された紙幣（千円札）は、釣り銭としてリサイクルできるよう構成されている。
【００１９】
リーダ・ライタ部７および紙幣鑑別部８は、制御部５によって制御されるようになっている。リーダ・ライタ部７は、ＩＣカード置き台２にセットされた一般カードと通信するためのアンテナ１０と接続されている。稼動中のＩＣカード置き台２に一般カードがセットされた場合には、ＩＣカード用紙幣積増機１は、一般カードに電磁誘導により電源を供給するとともに、一般カードが有する金額情報をアンテナ１０で受信して制御部５へ渡す。また、リーダ・ライタ部７は、制御部５から渡された金額情報を、アンテナ１０を介して一般カードに書き込むことができる。
【００２０】
ＩＣカード用紙幣積増機１の紙幣出金口１１からは、入金紙幣の金額と積増額ボタン６ａで決定された積増額との差額に相当する釣銭が排出される。また、ＩＣカード用紙幣積増機１には、領収書や取引データを印刷可能な印刷部１２が設けられており、積増額の決定後に領収書ボタン６ｃが押されると、領収書発行口４から入金紙幣についての領収書が発行されるように、これらの各ボタン等が制御部５によって制御される。
【００２１】
ＩＣカード用紙幣積増機１の制御部５に対する電源は、電源部１３から供給される。また、制御部５は取引データの転送や、機器の状況をリアルタイムで監視を行うために、サーバ１４と有線あるいは無線、例えばＰＨＳ（Personal Handy phone System）通信により接続されており、電源投入後に、あらかじめ指定した時間間隔でサーバ通信を行うことができる。ＩＣカード用紙幣積増機１は、サーバ１４による認証が得られた場合にのみ起動して、ＩＣカード用紙幣積増機１における一般カードの受け付けを許可するように構成されている。
【００２２】
図２は、ＩＣカード用紙幣積増機の概略構成を示す正面図である。ＩＣカード用紙幣積増機１の前面パネル２０には、積増額ボタン６ａ、取消ボタン６ｂ、領収書ボタン６ｃ、およびＬＣＤ６ｄが配置され、さらに、ＩＣカード置き台２、紙幣入金口３、領収書発行口４、および紙幣出金口１１等が形成されている。このうち積増額ボタン６ａとしては、選択可能な積み増し額に応じた複数のボタンが用意され、ここでは、たとえば千円、三千円、五千円、一万円用の４つのボタンが設けられている。
【００２３】
このような構成のＩＣカード用紙幣積増機１では、通常の運用による積み増し動作は以下の手順で実行できる。すなわち、ＩＣカード置き台２に一般カードをセットし、積増額ボタン６ａで積み増し額を指定してから、紙幣入金口３から紙幣を挿入する。挿入された紙幣はその真偽判定を行う紙幣鑑別部８を通り、紙幣収納庫９に収納される。釣り銭がある場合、あるいは取消ボタン６ｂにより入金処理が取り消された場合には、紙幣出金口１１より釣り銭紙幣または入金済みの紙幣が返却される。
【００２４】
積増額ボタン６ａにより指定された相当額紙幣の入金処理が終わると、リーダ・ライタ部７では、アンテナ１０を介してＩＣカード置き台２にセットされた一般カードに対して積み増しされたデータの書き込み処理を行う。その際に領収書ボタン６ｃが押下された場合には、印刷部１２で取引内容を印刷して領収書発行口４より領収書が出力される。
【００２５】
次に、ＩＣカード用紙幣積増機１における運用開始から積み増し動作に至る全体の処理過程について説明する。
図３および図４は、いずれもＩＣカード用紙幣積増機の積み増し処理を示すフローチャートである。
【００２６】
ＩＣカード用紙幣積増機１を起動する場合、図３に示したように、まず、電源が投入され（ステップＳ１）、積み増し動作に係る各部動作状態が初期状態にリセットされる（ステップＳ２）。
【００２７】
その後、ＩＣカード用紙幣積増機１の制御部５では、あらかじめ登録されたサーバ１４との間で通信を行い、サーバ１４との間で認証をとる（ステップＳ３）。このとき、サーバ通信が成功し、かつ認証が取れたかどうかの判定（ステップＳ４）を行い、認証が取れたときにはＬＣＤ６ｄに一般カード受付許可メッセージを表示して（ステップＳ５）、一般カードのセットが可能なセット待機状態となって、図３のステップＳ５から図４のステップＳ１１に移行する。しかし、サーバ通信に失敗し、あるいはサーバ通信によりＩＣカード用紙幣積増機１の認証が取れなければ、ＬＣＤ６ｄに機器停止メッセージを表示する（ステップＳ６）。機器停止中の表示がなされた状態では、一般カードのセットおよび紙幣の入金を行うことができない。
【００２８】
ＩＣカード用紙幣積増機１の起動後に、一般カードのセット待機状態となれば、図４に示したように、一般カードがＩＣカード置き台２にセットされたか否かを判断する（ステップＳ１１）。一般カードがＩＣカード置き台２にセットされると、ＩＣカード用紙幣積増機１では、リーダ・ライタ部７が一般カード内に記憶された利用可能な金額情報を読み取って、操作表示部６のＬＣＤ６ｄに残高として表示する。
【００２９】
次に、積増額ボタン６ａにより積み増し額が指定されたかどうかが判断され（ステップ１２）、紙幣鑑別部８にて、入金された紙幣の真贋と金種を鑑別し、積み増し額以上の正規の紙幣が紙幣入金口３から入金されたか否かを判断する（ステップＳ１３）。積増額ボタン６ａで指定された金額を満たすだけの入金が行われた場合には、ＩＣカード用紙幣積増機１は、挿入された一般カードの利用可能金額に入金金額を積み増しするため、その一般カードに記憶されている利用可能な金額情報をリーダ・ライタ部７にて更新する（ステップＳ１４）。
【００３０】
ここで、釣り銭がある場合には（ステップＳ１５）、たとえば紙幣収納庫９の千円用の金庫から必要枚数が紙幣出金口１１より返金される（ステップＳ１６）。釣り銭がない場合には、このステップＳ１６はスキップされる。また、入金金額が指定された積み増し額に足りない場合や、正規の紙幣と認定されなかった場合などには、それらの紙幣は紙幣入金口３から返金される。
【００３１】
次に、操作表示部６にある領収書ボタン６ｃが押下されているかどうかが判断される（ステップＳ１７）。領収書ボタン６ｃが押下されていれば、その積み増しを行った内容が印刷部１２により印字されて、領収書発行口４から領収書を発行する（ステップＳ１８）。領収書ボタン６ｃが押下されていない場合には、このステップＳ１８はスキップされ、図３のステップＳ５に戻る。
【００３２】
なお、ステップＳ１１において一般カードがセットされるまで、およびステップＳ１８において領収書が発行された後は、ＩＣカード用紙幣積増機１は、ステップＳ５における一般カードのセット待機状態を維持する。
【００３３】
このように動作する実施の形態１のＩＣカード用紙幣積増機１では、サーバ１４と通信を行い、その認証が得られるまでは起動されず、一般カードがＩＣカード用紙幣積増機に受け付けられないようになっている。したがって、ＩＣカード用紙幣積増機１の電源が投入されたあとでも、ＩＣカード用紙幣積増機１に対する不正操作や不正行為により一般カードに記憶されている情報が改ざんされる機会が減少する。
【００３４】
さらに、万一、ＩＣカード用紙幣積増機１自体が盗難された場合であっても、サーバ１４と接続し、サーバ１４からの認証がなければＩＣカード用紙幣積増機１ａを起動することができないので、ＩＣカード用紙幣積増機１のセキュリティに対する信頼性を向上することができる。
【００３５】
なお、万一起動状態で盗難された場合であっても、あらかじめ指定した時間間隔でサーバ１４との通信を行うように構成しておけば、ＩＣカード用紙幣積増機１を継続して起動することができなくなって、ＩＣカード用紙幣積増機１ａのセキュリティに対する信頼性が高くなる。
【００３６】
（実施の形態２）
次に、実施の形態２のＩＣカード用紙幣積増機について説明する。実施の形態２のＩＣカード用紙幣積増機は、一般カードとは別に用意した稼動カードとの間で認証動作を行い、稼動カードからの認証が得られた場合にのみ、一般カードへの書き込み動作を許可するようにしたものである。
【００３７】
図５は、本発明の実施の形態２に係るＩＣカード用紙幣積増機の構成を示すブロック図である。
ＩＣカード用紙幣積増機１ａのＩＣカード置き台２には、一般カードとは別に用意した稼動カードをセットすることができる。また、ＩＣカード用紙幣積増機１ａの制御部５は、メモリ５ａとともにタイマ５ｂ（一時稼動タイマ）を備えている。タイマ５ｂには、一時稼動のための設定時間がセットされており、稼動カードにより一般カードへの書き込み動作を許可した場合に計時動作を開始する。これらＩＣカード置き台２とタイマ５ｂの構成以外については、図１に示した実施の形態１のＩＣカード用紙幣積増機１と同じであるから、ここではそれらの説明を省略する。
【００３８】
ここで、稼動カードとは、前述した特許文献１の起動用カードと同様、一般カードに記憶されている情報の不正な改ざんを防止する目的で用いられるものであって、識別用のＩＤ情報と起動用のコマンド情報とを含む受付信号によって、電源投入時にリーダ・ライタ部７などの書込手段を稼動する。
【００３９】
図６ないし図８は、いずれもＩＣカード用紙幣積増機１ａの積み増し処理を示すフローチャートである。
図６のフローチャートは、ＩＣカード用紙幣積増機１ａを起動する手順を示すもので、実施の形態１における図３に対応する。ここでは、サーバ通信に失敗し、あるいはサーバ通信によりＩＣカード用紙幣積増機１ａの認証が取れないとき、ＬＣＤ６ｄに機器停止メッセージを表示する（ステップＳ６）。
【００４０】
図７のフローチャートは、図６のステップＳ６（機器停止中の表示がなされた状態）から移行する処理手順を示すものである。最初に、ＩＣカード用紙幣積増機１ａのＩＣカード置き台２にセットされたＩＣカードが稼動カードか否かを判断する（ステップＳ７）。稼動カードがＩＣカード置き台２にセットされると、制御部５のタイマ５ｂを所定の設定時間にセットする（ステップＳ８）。
【００４１】
ＩＣカード用紙幣積増機１ａは、アンテナ１０で稼動カードの受付信号を受信する。また、この受付信号に含まれるＩＤ情報をＩＣカード用紙幣積増機１ａが認識すると、制御部５のＣＰＵでは、稼動カード中の電子データ領域に記憶された稼動パラメータが正であるかの判定を行う（ステップＳ９）。稼動パラメータが正であれば、稼動パラメータから単位数を減算（−１）して（ステップＳ１０）、図６のステップＳ５に進み、ＩＣカード用紙幣積増機１ａが起動して、積み増し動作を開始できる状態となる。
【００４２】
すなわち、ＩＣカード用紙幣積増機１ａが稼動カードからの認証を得た場合に、ＬＣＤ６ｄに一般カード受付許可メッセージを表示し（ステップＳ５）、一般カードのセット待機状態になる。また、ステップＳ７において稼動カードがセットされていない場合、あるいはステップＳ９において稼動カードの稼動パラメータが負である場合には、ＩＣカード用紙幣積増機１ａは、図６のステップＳ４に戻る。したがって、その後もサーバ通信に失敗し、あるいはサーバ通信によりＩＣカード用紙幣積増機１ａの認証が取れなければ、ステップＳ４からステップＳ６に進んで、ＬＣＤ６ｄに機器停止メッセージを表示したまま、稼動カードのセット待機状態を維持する。
【００４３】
図８のフローチャートは、ＩＣカード用紙幣積増機１ａの積み増し手順を示すもので、実施の形態１における図４に対応する。ここでは、ステップＳ２０において、制御部５のタイマ５ｂがタイムアップしたかどうかを判断している点で、実施の形態１の手順と異なる。また、ステップＳ１１においては、一般カードがＩＣカード置き台２にセットされていない場合に、ステップＳ２１，Ｓ２２を経てステップＳ２３に進み、稼動カードの稼動パラメータに単位数を加算（＋１）する加算動作を一回だけ行うことができる。
【００４４】
すなわち、タイマ５ｂがタイムアップしているとき、ＩＣカード用紙幣積増機１ａは再び図６のステップＳ４に戻って、サーバ通信が成功し、かつ認証が取れたかどうかの判定を行う。また、タイマ５ｂがタイムアップしていなければ、ステップＳ２０からステップＳ１１に進み、そこで、一般カード以外がＩＣカード置き台２にセットされた場合、稼動カードがセットされたかどうかの判定を行う（ステップＳ２１）。この時、稼動カードがセットされており、そこに稼動パラメータが未だに加算されていなければ（ステップＳ２２）、稼動カード内の稼動パラメータの領域に＋１を加算する（ステップＳ２３）。
【００４５】
ステップＳ２２の判断は、ＩＣカード用紙幣積増機１ａがサーバ１４で認証された際にのみ、ステップＳ２３に進んで稼動パラメータを＋１だけ加算するためのステップである。ここでは、同一の処理手順において、再び稼動カードをＩＣカード置き台２にセットしても、この加算を行わないようにしている。そこで、ステップＳ２２では、既に稼動パラメータが稼動カードに加算されている場合、さらには、ステップＳ２１で稼動カードがセットされていない場合には、ＩＣカード用紙幣積増機１ａは、図８におけるステップＳ５に示すように、一般カードのセット待機状態を維持する。
【００４６】
このように動作する実施の形態２のＩＣカード用紙幣積増機１ａでは、電源投入後、サーバ１４によって認証されない場合でも、稼動カードによって起動できるようにしたので、防盗対策を適用したＩＣカード用紙幣積増機自体における一時的なサービス停止を解除することができる。
【００４７】
したがって、ＩＣカード用紙幣積増機１ａを設置した場所によって、ネットワークの工事や、サーバの不調などにより、一時的にサーバ通信による認証が得られないようなときにも、稼動カードをＩＣカード置き台２にセットすることで積み増し機能を起動することができ、ＩＣカード用紙幣積増機１ａはその積み増し機能の利用機会が喪失されない。
【００４８】
また、このＩＣカード用紙幣積増機１ａでは、稼動カード内の電子データ領域に記憶された稼動パラメータを−１している。この稼動パラメータは、あらかじめ上限を決められた正の整数値で格納されていて、認証動作にあたって稼動パラメータが０より大きい場合のみ、ＩＣカード用紙幣積増機１ａの積み増し機能を起動するように構成されている。したがって、サーバ通信による認証なしで、ＩＣカード用紙幣積増機１ａが繰り返して起動しないようになるから、一般カードへの不正な積み増し動作の繰り返しを防ぐことができる。
【００４９】
さらに、このように稼動カードにより起動される積み増し機能は、一時稼動のための設定時間がセットされたタイマ５ｂを起動し、一定時間後再びサーバ１４との接続により、認証を得ることを条件としている。したがって、稼動カードでの積み増し機能の起動に対して、一時稼動のような一定の制限が設けられることになり、セキュリティに対する信頼を高めることができる。
【００５０】
この場合に、サーバ１４との通信が成功し、正常に積み増し機能が起動されているＩＣカード用紙幣積増機１ａに稼動カードをセットすることによって、稼動カード内の電子データの稼動パラメータが＋１だけ加算されるように構成しているので、サーバ１４により稼動パラメータの蓄積データを正常に管理することができる。
【００５１】
なお、ＩＣカード用紙幣積増機１ａと稼動カードの両方が同時に盗難にあった場合には、稼動カードに蓄えられた稼動パラメータと、タイマ５ｂにおける一時稼動のための設定時間との積の時間だけ、ＩＣカード用紙幣積増機１ａの積み増し機能が悪用されるおそれがある。しかし、ＩＣカード用紙幣積増機１ａの設置場所に応じて、これら稼動パラメータと一時稼動タイマの設定時間とを最適値に設定するなど、それらをコントロールすることによって、セキュリティレベルを容易に調整できる。
【図面の簡単な説明】
【００５２】
【図１】本発明の実施の形態１に係るＩＣカード用紙幣積増機の構成を示すブロック図である。
【図２】ＩＣカード用紙幣積増機の概略構成を示す正面図である。
【図３】実施の形態１に係るＩＣカード用紙幣積増機の積み増し処理を示すフローチャート（その１）である。
【図４】実施の形態１に係るＩＣカード用紙幣積増機の積み増し処理を示すフローチャート（その２）である。
【図５】本発明の実施の形態２に係るＩＣカード用紙幣積増機の構成を示すブロック図である。
【図６】実施の形態２に係るＩＣカード用紙幣積増機の積み増し処理を示すフローチャート（その１）である。
【図７】実施の形態２に係るＩＣカード用紙幣積増機の積み増し処理を示すフローチャート（その２）である。
【図８】実施の形態２に係るＩＣカード用紙幣積増機の積み増し処理を示すフローチャート（その３）である。
【符号の説明】
【００５３】
１，１ａ  ＩＣカード用紙幣積増機
２  ＩＣカード置き台
３  紙幣入金口
４  領収書発行口
５  制御部
５ａ  メモリ
５ｂ  タイマ
６  操作表示部
６ａ  積増額ボタン
６ｂ  取消ボタン
６ｃ  領収書ボタン
６ｄ  ＬＣＤ
７  リーダ・ライタ部
８  紙幣鑑別部
９  紙幣収納庫
１０  アンテナ
１１  紙幣出金口
１２  印刷部
１３  電源部
１４  サーバ
【図１】
2005215755.tif 000003
【図２】
2005215755.tif 000004
【図３】
2005215755.tif 000005
【図４】
2005215755.tif 000006
【図５】
2005215755.tif 000007
【図６】
2005215755.tif 000008
【図７】
2005215755.tif 000009
【図８】
2005215755.tif 000010